【手続補正書】
【提出日】平成18年1月16日(2006.1.16)
【手続補正１】
【補正対象書類名】明細書
【補正対象項目名】特許請求の範囲
【補正方法】変更
【補正の内容】
【特許請求の範囲】
【請求項１】
第１乃至第３の入力端子と、出力端子と、第１のトランジスタと、第２のトランジスタと、容量手段と、振幅補償回路とを有し、
前記第１のトランジスタは、第１の電極が前記第１の入力端子と電気的に接続され、第２の電極が前記出力端子と電気的に接続され、
前記第２のトランジスタは、前記第１のトランジスタと同一導電型であって、第１の電極が第１の電源と電気的に接続され、第２の電極が前記出力端子と電気的に接続され、
前記容量手段は、前記第１のトランジスタのゲート電極と第２の電極との間に設けられ、
前記振幅補償回路は、前記第２の入力端子及び前記第３の入力端子から信号が入力され、前記第１のトランジスタのゲート電極及び前記第２のトランジスタのゲート電極に信号を出力し、前記第１のトランジスタのゲート電極を浮遊状態または前記出力端子と同電位にすることを特徴とするパルス出力回路。
【請求項２】
第１乃至第４の入力端子と、出力端子と、第１のトランジスタと、第２のトランジスタと、第３のトランジスタと、容量手段と、振幅補償回路とを有し、
前記第１のトランジスタは、第１の電極が前記第１の入力端子と電気的に接続され、第２の電極が前記出力端子と電気的に接続され、
前記第２のトランジスタは、前記第１のトランジスタと同一導電型であって、第１の電極が第１の電源と電気的に接続され、第２の電極が前記出力端子と電気的に接続され、
前記第３のトランジスタは、前記第１のトランジスタと同一導電型であって、第１の電極が第２の電源と電気的に接続され、第２の電極が前記第２のトランジスタのゲート電極と電気的に接続され、ゲート電極が前記第４の入力端子と電気的に接続され、
前記容量手段は、前記第１のトランジスタのゲート電極と第２の電極との間に設けられ、
前記振幅補償回路は、前記第２の入力端子及び前記第３の入力端子から信号が入力され、前記第１のトランジスタのゲート電極及び前記第２のトランジスタのゲート電極に信号を出力し、前記第１のトランジスタのゲート電極を浮遊状態または前記出力端子と同電位にすることを特徴とするパルス出力回路。
【請求項３】
第１乃至第３の入力端子と、出力端子と、第１のトランジスタと、第２のトランジスタと、第３のトランジスタと、第４のトランジスタと、第５のトランジスタと、第６のトランジスタと、容量手段とを有し、
前記第１のトランジスタは、第１の電極が前記第１の入力端子と電気的に接続され、第２の電極が前記出力端子と電気的に接続され、
前記第２のトランジスタは、前記第１のトランジスタと同一導電型であって、第１の電極が第１の電源と電気的に接続され、第２の電極が前記出力端子と電気的に接続され、
前記第３のトランジスタは、前記第１のトランジスタと同一導電型であって、第１の電極が第２の電源またはゲート電極と電気的に接続され、第２の電極が前記第１のゲート電極と電気的に接続され、ゲート電極が前記第２の入力端子と電気的に接続され、
前記第４のトランジスタは、前記第１のトランジスタと同一導電型であって、第１の電極が前記第１の電源と電気的に接続され、第２の電極が前記第１のトランジスタのゲート電極と電気的に接続され、
前記第５のトランジスタは、前記第１のトランジスタと同一導電型であって、第１の電極が前記第２の電源と電気的に接続され、第２の電極が前記第２のトランジスタのゲート電極および前記第４のトランジスタのゲート電極と電気的に接続され、ゲート電極が前記第３の入力端子と電気的に接続され、
前記第６のトランジスタは、前記第１のトランジスタと同一導電型であって、第１の電極が前記第１の電源と電気的に接続され、第２の電極が前記第２のトランジスタのゲート電極と電気的に接続され、ゲート電極が前記第２の入力端子と電気的に接続され、
前記容量手段は、前記第１のトランジスタのゲート電極と第２の電極との間に設けられていることを特徴とするパルス出力回路。
【請求項４】
請求項３において、
第７のトランジスタを有し、
前記第７のトランジスタは、前記第１のトランジスタと同一導電型であって、ゲート電極が前記第２の電源と電気的に接続され、前記第３のトランジスタの第２の電極と前記第１のトランジスタのゲート電極との間に設けられていることを特徴とするパルス出力回路。
【請求項５】
請求項３において、
第７のトランジスタと第８のトランジスタとを有し、
前記第７のトランジスタは、前記第１のトランジスタと同一導電型であって、ゲート電極が第１の電極と電気的に接続され、前記第３のトランジスタの第２の電極と前記第１のトランジスタのゲート電極との間に設けられ、
前記第８のトランジスタは、前記第１のトランジスタと同一導電型であって、ゲート電極が第２のトランジスタのゲート電極と電気的に接続され、第１の電極は前記第１の電源と電気的に接続され、第２の電極は前記第１のトランジスタのゲート電極と電気的に接続されていることを特徴とするパルス出力回路。
【請求項６】
第１乃至第４の入力端子と、出力端子と、第１のトランジスタと、第２のトランジスタと、第３のトランジスタと、第４のトランジスタと、第５のトランジスタと、第６のトランジスタと、第７のトランジスタと、容量手段とを有し、
前記第１のトランジスタは、第１の電極が前記第１の入力端子と電気的に接続され、第２の電極が前記出力端子と電気的に接続され、
前記第２のトランジスタは、前記第１のトランジスタと同一導電型であって、第１の電極が第１の電源と電気的に接続され、第２の電極が前記出力端子と電気的に接続され、
前記第３のトランジスタは、前記第１のトランジスタと同一導電型であって、第１の電極が第２の電源またはゲート電極と電気的に接続され、第２の電極が前記第１のゲート電極と電気的に接続され、ゲート電極が前記第２の入力端子と電気的に接続され、
前記第４のトランジスタは、前記第１のトランジスタと同一導電型であって、第１の電極が前記第１の電源と電気的に接続され、第２の電極が前記第１のトランジスタのゲート電極と電気的に接続され、
前記第５のトランジスタは、前記第１のトランジスタと同一導電型であって、第１の電極が前記第２の電源と電気的に接続され、第２の電極が前記第２のトランジスタのゲート電極および前記第４のトランジスタのゲート電極と電気的に接続され、ゲート電極が前記第３の入力端子と電気的に接続され、
前記第６のトランジスタは、前記第１のトランジスタと同一導電型であって、第１の電極が前記第１の電源と電気的に接続され、第２の電極が前記第２のトランジスタのゲート電極と電気的に接続され、ゲート電極が前記第２の入力端子と電気的に接続され、
前記第７のトランジスタは、前記第１のトランジスタと同一導電型であって、第１の電極が前記第２の電源と電気的に接続され、第２の電極が前記第２のトランジスタのゲート電極と電気的に接続され、ゲート電極が前記第４の入力端子と電気的に接続され、
前記容量手段は、前記第１のトランジスタのゲート電極と第２の電極との間に設けられていることを特徴とするパルス出力回路。
【請求項７】
請求項１乃至請求項６のいずれか１項に記載のパルス出力回路を複数段用いてなることを特徴とするシフトレジスタ。
【請求項８】
請求項１乃至請求項６のいずれか１項に記載のパルス出力回路を用いたことを特徴とする電子機器。
【請求項９】
請求項７に記載のシフトレジスタを用いたことを特徴とする電子機器。